(57)【要約】【課題】  火災時の熱により障子の反りや下がりを防止できる建具を提供する。【解決手段】  枠３に対して障子を開閉自在に支持した建具１は、障子竪框２１の見込み面２１ａに設けた係止部材２５と、障子竪框２１に対向する位置で下枠１１の上面に設けた受け２７とを備え、係止部材２５は、対向する竪枠１３側に突出した見付け壁２５ｂを有し、受け２７は、上方に突出した見込み壁２７ｂを有し、係止部材の見付け壁２５ｂは受けの見込み壁２７ｂよりも室内側で且つ上方に位置しており、障子竪框２１が熱により伸びたときに、係止部材の見付け壁２５ｂが、受けの見込み壁２７ｂの室内側に係止し又は受けの見込み壁２７ｂの上端に載置する。【選択図】図１
2014009494.tif 000002
【特許請求の範囲】
【請求項１】
枠と、枠に開閉自在に支持した障子と、障子竪框の見込み面に設けた係止部材と、障子竪框に対向する位置で下枠上面に設けた受けとを備え、係止部材は対向する竪枠側に突出した見付け壁を有し、受けは上方に突出した見込み壁を有し、係止部材の見付け壁は受けの見込み壁よりも室内側で且つ上方に位置しており、障子竪框が熱により伸びたときに、係止部材の見付け壁が、受けの見込み壁の室内側に係止し又は受けの見込み壁の上端に載置することを特徴とする建具。
【発明の詳細な説明】
【技術分野】
【０００１】
本発明は、すべり出しサッシ、開きサッシ、外倒しサッシ等の障子を枠に対して開閉自在に支持したサッシやドア等の建具に関する。
【背景技術】
【０００２】
特許文献１には、枠と、枠に開閉自在に支持した障子を備える建具において、障子と枠をリンク機構で連結して障子の開閉に追随できるようにすると共に、火災時にはリンク機構により障子の脱落を防止することが開示されている。
【先行技術文献】
【特許文献】
【０００３】
【特許文献１】特開２００９−２２８３４３号公報
【発明の概要】
【発明が解決しようとする課題】
【０００４】
しかし、障子の脱落前に、火災時の熱による障子の竪框が伸びて、反りや下がりにより障子が枠から離れて、火炎が噴出するという不都合があった。
【０００５】
そこで、本発明は、火災時の熱により障子の反りや下がりを防止できる建具の提供を目的とする。
【課題を解決するための手段】
【０００６】
請求項１に記載の発明は、枠と、枠に開閉自在に支持した障子と、障子竪框の見込み面に設けた係止部材と、障子竪框に対向する位置で下枠上面に設けた受けとを備え、係止部材は対向する竪枠側に突出した見付け壁を有し、受けは上方に突出した見込み壁を有し、係止部材の見付け壁は受けの見込み壁よりも室内側で且つ上方に位置しており、障子竪框が熱により伸びたときに、係止部材の見付け壁が、受けの見込み壁の室内側に係止し又は受けの見込み壁の上端に載置することを特徴とする建具である。
【発明の効果】
【０００７】
請求項１記載の発明によれば、火災時の熱により障子竪框が伸びたときに、受けの見込み壁に係止部材の見付け壁が室内側から係止して、障子の反りを防止する。したがって、障子の反りにより障子が枠から離れて、火炎が噴出するのを防止できる。
また、受けの見込み壁の上端に係止部材の見付け壁が載置した場合には、障子が下がるのを防止できると共に両者の摩擦抵抗により障子が反るのを防止できる。
竪框で熱伸びの程度にばらつきがあったとしても、竪框に設けた係止部材の見付け壁と受けの見込み壁が係止したり載置することにより、障子の反りを防止できる。
【図面の簡単な説明】
【０００８】
【図１】本発明の実施の形態にかかる建具であって、障子の下部と下枠とを示す縦断面図である。
【図２】本発明の実施の形態にかかる建具であって、室内側から見て右側における障子下部と竪枠とを示す横断面図である。
【図３】係止部材の図であり、（ａ）は正面図、（ｂ）は側面図、（ｃ）は平面図である。
【図４】受けの図であり、（ａ）は正面図、（ｂ）は側面図、（ｃ）は平面図である。
【図５】本発明の実施の形態にかかる建具の縦断面図である。
【図６】本発明の実施の形態にかかる建具の横断面図である。
【発明を実施するための形態】
【０００９】
以下に、添付図面を参照して本発明の実施の形態を詳細に説明する。図５及び図６に示すように、本実施の形態に係る建具１は、すべり出しサッシであり且つアルミ形材とアルミ形材の室内側に設けた樹脂形材からなるアルミ樹脂複合サッシである。
建具１は、枠３と、障子５とを備え、枠３は、アルミニウム製の上枠９、下枠１１及び左右の竪枠１３、１３を枠組してあり、各々室内側には樹脂製形材１５が取付けてある。下枠１１の内部には断面略Ｌ字形状を成す鋼材製の補強材４３が設けてある。
障子３はアルミニウム製の上框１７、下框１９及び左右の竪框２１、２１をガラス４の四周に框組してあり、各框１７、１９、２１、２１の室内側には樹脂製形材２３が取付けてある。
障子５の左右の竪框２１、２１には対向する竪枠１３、１３との間に障子支持部材７が設けてあり、障子５の下端が枠３に対して開閉自在に支持されている。障子支持部材７は、すべり出しサッシのステーである。
【００１０】
図５に示すように、下框１９の内部には断面略コ字形状を成す鋼材製の補強材４５が設けてあり、図６に示すように、左右の竪框２１、２１の内部にも断面略コ字形状を成す鋼材製の補強材４６が設けてある。
図５及び図６に示すように、ガラス４の四周にはガラスの端部を保持するグレイジングガスケット４９が設けてあり、各障子の框１７、１９、２１、２１のガラス保持溝５１には、溝壁とグレイジングガスケット４９との間にスチール製のガラス保持溝補強材５３が設けてある。
また、ガラス４の各コーナー部には、鋼材製のガラス間口コーナー金具４７が設けてある。
【００１１】
図１及び図２に示すように、障子５において、左右の竪框２１、２１の各下端の見込み面２１ａには係止部材２５がねじ２６で固定してあり、下枠１１の上面において、左右の竪框２１、２１に対向する位置には受け２７がねじ２８で固定されている。
左右の竪框２１、２１に設けた係止部材２５と、各係止部材２５に対向して下枠１１に設けた受け２７とは、左右で同じ構成であるから、以下の説明では、一方の係止部材２５と受け２７について説明する。
係止部材２５は、鋼材製であり、図１〜図３に示すように、竪框２１の見込み面２１ａにねじ２６で固定する固定部２５ａと、固定部２５ａの下側で対向する竪枠１３側に突出した見付け壁２５ｂと、固定部２５ａの室内側で樹脂製形材２３の見込み面を覆う被覆部２５ｃとを備えている。
受け２７は、鋼材製であり、図１、図２及び図４に示すように、下枠１１の上面にねじ２８で固定する固定部２７ａと、固定部２７ａから上方に突出した見込み壁２７ｂとを備えている。
係止部材２５の見付け壁２５ｂは、受け２７の見込み壁２７ｂよりも上方で且つ室内側に位置している。また、図２に示すように、受けの２７の見込み壁２７ｂと係止部材２５の見付け壁２５ｂとは平面視で離れた位置にあり略Ｔ字形状を成している。
【００１２】
次に、火災時の熱により発泡する熱膨張耐火材及び熱膨張耐火材に関連する構造について説明する。図１及び図５に示すように、下枠１１の上面には、下框１９の室内側下端のコーナー部に向けて発泡する第１熱膨張耐火材３２ａが設けてある。
第１熱膨張耐火材３２ａは、表面を室外側に向けて上下方向に傾斜してあり、第１熱膨張耐熱材保持具３４により保持している。第１熱膨張耐火材保持具３４は、第１熱膨張耐火材３２ａを保持する保持部３４ａと、保持部３４ａの室外側で下枠１１の上面にねじで固定するねじ固定部３４ｂと、保持部３４ａの室内側で下枠１１の室内側見付け壁に係止する係止部３４ｃと、保持部３４ａと係止部３４ｂとの間で下枠１１の上面よりも高い室内側部３４ｄとを備えている。
保持部３４ａは室内側を高くして傾斜しており、保持部３４ａと室内側部３４ｄは、受け２７の見込み壁２７ｂよりも室内側にあり、係止部材２５の見付け壁２５ｂが載置可能な係止部材載置面になっている。
下枠１１の補強材４３には下枠の排水穴３３に対応する位置に第２熱膨張耐火材３２ｂが設けてある。
【００１３】
図５に示すように、上枠９の内周面には、上框１７の外周面に向けて発泡する第３熱膨張耐火材３２ｃが第２熱膨張耐火材保持具３６に保持されている。
図６に示すように、左右の竪枠１３、１３の各内周面には、対向する竪框２１、２１に向けて発泡する第４熱膨張耐火材３２ｄが竪枠１３、１３の長手方向に亘って設けてあり、第４熱膨張耐火材３２ｄは第３熱膨張耐火材保持具３８に保持してある。第３熱膨張耐火材保持具３８は、各竪枠１３の内周側面１３ａから内周側に突設した補助部１３ｂにねじ２９で固定している。
左右の竪枠１３、１３の各室内側壁１３ｃには、その室外側面に竪枠１３と竪框２１との間の空間に向けて発泡する発泡する第５熱膨張耐火材３２ｅが設けてある。この第５熱膨張耐火材３２ｅは各竪枠１３の長手方向に亘って設けてあり、竪枠１３の室内側壁１３ｃと障子支持部材７とで挟んでいる。
左右の竪框２１、２１には、各々対向する竪枠１３、１３との間の空間に向けて発泡する第６熱膨張耐火材３２ｆが設けてあり、各第６熱膨張耐火材３２ｆは外周側部を、各竪框２１、２１の外周側端部２２の溝内に保持してある。
【００１４】
図５及び図６に示すように、ガラス４の各角部に設けたガラス間口コーナー金具４７の外周面には第７熱膨張耐火材３２ｇが設けてあり、火災時にガラス保持溝補強材５３との間を塞ぐようになっている。
ガラス４の周囲において、ガラス保持溝補強材５３の内周面には火災時にガラス間口との間を塞ぐ第８熱膨張耐火材３２ｈが設けてある。
図６に示すように、左右の竪框２１、２１のガラス保持溝５１には、その室内側壁に第９熱膨張耐火材３２ｉが設けてあり、火災時にガラス保持溝補強材５３との間を塞ぐようになっている。
【００１５】
図５に示すように、下框１９の内部に設けた補強材４５の上面には下框１９の上壁に形成されている排水穴に対向する位置に第１０熱膨張耐火材３２ｊが設けてあり、火災時に膨張して排水穴を塞ぐようになっている。
尚、上述した第８熱膨張耐火材３２ｈは熱が伝わり難い箇所に設けてあるので低温熱発泡体（約１６０℃で発泡を開始する）が用いられており、その他の熱膨張耐火材、即ち第１熱膨張耐火材３２ａ〜第７熱膨張耐火材３２ｇ、第９熱膨張耐火材３２ｉ、第１０熱膨張耐火材３２ｊには一般的な熱発泡体（約２００℃で発泡を開始する）が用いられている。
【００１６】
次に、本実施の形態にかかる建具１の作用効果について説明する。
図１及び図２に示すように、通常時には受け２７の見込み壁２７ｂの上方で且つ室内側に係止部材２５の見付け壁２５ｂが位置しており、両者は離れた位置にあり、障子５を開閉するときに邪魔にならない。
図１の二点鎖線Ａ及び図４に二点鎖線で示すように、火災時には、火災の熱により障子５の竪框２１が伸びると、係止部材２５の見付け壁２５ｂが受け２７の見込み壁２７ｂの室内側で対向し且つ室内側から係止することで、障子５が反るのを防止する。これにより、障子５の反りにより障子５が下枠１１から室外側へ離れて障子５と枠３との間の隙間から火炎が噴出するのを防止する。
また、図１の二点鎖線Ｂに示すように、受け２７の見込み壁２７ｂの上端に係止部材２５の見付け壁２５ｂが載置した場合には、障子５が下がるのを防止できると共に両者の摩擦抵抗により係止部材２５の見付け壁２５ｂが室外側へ移動するのを規制するから、障子５が反るのを防止できる。
更に、竪框２１で熱伸びの程度にばらつきがあったとしても、竪框２１に設けた係止部材２５の見付け壁２５ｂと受け２７の見込み壁２７ｂが図１の二点鎖線Ａに示すように室内側から係止したり、図１の二点鎖線Ｂで示すように載置することにより、竪框２１の熱伸びの違いによる反りを防止できる。
【００１７】
本実施の形態では、下枠１１に設けた第１熱膨張耐火材保持具３４が受け２７の見込み壁２７ｂの室内側に設けてあり、第１熱膨張耐火材保持具３４の保持部３４ａ及び室内側部３４ｄは下枠１１の上面よりも高い位置にあるから、竪框２１が熱伸びしたときに係止部材２５の見付け壁２５ｂが第１熱膨張耐火材保持具３４の保持部３４ａ又は室内側部３４ｄに載置した場合にも障子５が下がるのを防止できる。
係止部材２５は、固定部２５ａをアルミ形材製の竪框２１に固定してあり、被覆部２５ｃで樹脂製形材２３の見込み面を覆っているので、火災により樹脂製形材２３が焼け落ちた場合に、障子５の下部を室外側から見たときに、係止部材２５の被覆部２５ｃが竪枠１３と障子５との間の隙間を目隠して、通気の拡大を防止できる。
図５に示すように、左右の竪枠１３、１３の各室内側壁１３ｃに設けた第５熱膨張耐火材３２ｅは、竪枠１３の室内側壁１３ｃと障子支持部材７とで挟んでいるので、第５熱膨張耐火材３２ｅを容易に取り付けできると共に第５熱膨張耐火材３２ｅの落下を防止できる。
【００１８】
図１及び図５に示すように、火災時に、障子５の樹脂製形材２３が焼け落ちた場合でも、火災の熱により下枠１５に設けた第１熱膨張耐火材３２ａが膨張して、下框１９の下端の室内側コーナー部との間の空間を塞ぐ。これにより、火災時に障子３の下框１９と下枠１１との間から外気が室内に入り込んだり、室内の炎を外に噴出するのを防止できる。
また、下枠１５の排水穴３３は第２熱膨張耐火材３２ｂが膨張して塞ぐので、排水穴３３からら炎を外に噴出するのを防止できる。
図５に示すように、障子の上框１７と上枠９との間では、火災時に第３熱膨張耐火材３２ｃが膨張して、上框１７と上枠９との間の空間を塞ぐ。これにより、上框１７と上枠９との間においても、火災時にこれらの間から外気が室内に入り込んだり、室内の火炎を外に噴出するのを防止できる。
図６に示すように、左右の竪枠１３、１３に設けた第４熱膨張耐火材３２ｄは、火災の熱により膨張して竪框２１及び障子支持部材７との間を塞ぎ、竪枠１３の室内側壁１３ｃに設けた第５熱膨張耐火材３２ｅは、火災の熱により膨張して竪枠１３と竪框２１との間の空間を塞ぎ、竪框２１及び障子支持部材７との間の隙間から火炎が室外に噴出するのを防止する。更に、竪框２１に設けた第６熱膨張耐火材３２ｆも、火災の熱により膨張して竪框２１と竪枠１３との間の空間及び障子支持部材７との間を塞ぐ。
以上のように、本実施の形態では、火災時には、障子５の四周において枠３との間を、第１熱膨張耐火材３２ａ、第３熱膨張耐火材３２ｃ、第４熱膨張耐火材３２ｄ、第５熱膨張耐火材３２ｅ、第６熱膨張耐火材３２ｆで塞ぐことができる。
【００１９】
図５及び図６に示すように、上框１７、下框１９及び左右の竪框２１には、ガラス保持溝５１内にスチール製のガラス保持溝補強材５３が設けてあり、ガラス保持溝補強材５３によりガラスの四周を保持しているので、火災時にアルミニウム製の上框１７、下框１９及び竪框２１、２１が溶けた場合でもガラス４を保持して、ガラス４の脱落を防止できる。
更に、各ガラス保持溝補強材５３には、ガラス４の四周の端面に対向して第８熱膨張耐火材３２ｈが設けてあり、火災時に第８熱膨張耐火材３２ｈが熱膨張してガラス４の四周において、ガラス端面との間を塞ぐから、ガラス保持溝補強材５３とガラス４との間から、室内の炎を外に噴出するのを防止できる。
また、各ガラス間口コーナー金具４７に設けた第７熱膨張耐火材３２ｇが、火災時にガラス間口コーナー金具４７とガラス保持溝補強材５３との間を塞ぐ。また、左右の竪框２１、２１では、ガラス保持溝５１の室内側に設けた第１０熱膨張耐火材３２ｊが火災時に竪框２１の室内側でガラス保持溝補強材５３との間を塞ぎ、室内の炎を外に噴出するのを防止する。
【００２０】
本発明は、上述した実施の形態に限らず、本発明の要旨を逸脱しない範囲で種々変形可能である。
例えば、建具１は、外倒しサッシに限らず、すべり出サッシ、たてすべり出しサッシ、開きサッシ、回転サッシなどの枠３に障子５を開閉自在に支持されたサッシや、ドアであって合っても良い。建具１がドアの場合には障子５はドア本体である。
ドアや開きサッシ等のように、障子５の一方の竪框側に障子支持部材７を設けて他方の竪框側を開く場合には、開き側の竪框にのみ係止部材２５を設け、係止部材２５に対向する位置で下枠１１に受け２７を設けても良い。
建具１はアルミ樹脂複合サッシに限らず、アルミ形材のみで構成された建具であっても良い。
【符号の説明】
【００２１】
１    建具
３    枠
５    障子
７    障子支持部材
１３  竪枠
２１  竪框（障子竪框）
２５  係止部材
２５ｂ  見付け壁
２７  受け
２７ｂ  見込み壁
【図１】
2014009494.tif 000003
【図２】
2014009494.tif 000004
【図３】
2014009494.tif 000005
【図４】
2014009494.tif 000006
【図５】
2014009494.tif 000007
【図６】
2014009494.tif 000008